(57)【要約】  プッシュ制御デバイスを有する眼内レンズインジェクタは、ペン状ケーシング（１）の中に、装填室（３）、先細り送達チャネル（４）、及び遠位先端（５）を含む前部（２）と、眼内レンズ（ＩＯＬ）を患者の眼に挿入するための挿入ロッド（１９）に前方で接続されるプッシュロッド（９）に作用するコイルバネ（８）を備えるアクチュエータ（１８）を含む後部であって、コイルバネ（８）はプッシュロッド（９）に連結される前面当接部材（１１）が設けられたバネ保持スリーブ（１０）に収容される、後部と、プッシュロッド（９）の前進を制御するためのデバイスが設けられた中間ハンドル部分（６）とを有する。コイルバネ（８）は、コイルバネ（８）の荷重を調節するねじ及びナットねじデバイス（１４）によって縦位置が変化する後端（１３）を有する。【選択図】図１
2021524320.tif 000002
【特許請求の範囲】
【請求項１】
ペン状ケーシング（１）を備えるプッシュ制御デバイスを有する眼内レンズインジェクタであって、
装填室（３）、先細り送達チャネル（４）、及び眼内レンズ（ＩＯＬ）を出すための遠位先端（５）を含む、前部（２）と、
前記眼内レンズ（ＩＯＬ）を患者の眼に挿入するための挿入ロッド（１９）に前方で接続されるプッシュロッド（９；９０；９００；９０１）に作用するコイルバネ（８）を備えるアクチュエータ（１８；１８０）を含む後部であって、前記コイルバネ（８）は後端（１３）を有し、前記プッシュロッド（９；９０；９００；９０１）に連結される前面当接部材（１１）が設けられたバネ保持スリーブ（１０，１００）に収容される、後部と、
前記プッシュロッド（９；９０；９００；９０１）の前進を制御するためのデバイスが設けられた中間ハンドル部分（６）と、を含み、
前記眼内レンズインジェクタは、前記コイルバネ（８）の荷重を調節するために、前記コイルバネ（８）の前記後端（１３）に作用するねじ及びナットねじデバイス（１４；１４０）を備えるプッシュ制御デバイスを有することを特徴とする、インジェクタ。
【請求項２】
前記バネ保持スリーブ（１０）は内部で滑らかであり、三日月形外形を有する後端（１０２）が設けられ、前記ねじ及びナットねじデバイス（１４）は調節ノブ（１５）を備え、前記調節ノブ（１５）は前記ペン状ケーシング（１）の前記後端（２０）に位置し、前記バネ保持スリーブ（１０）内に挿入されるねじ軸（１６）が設けられ、前記コイルバネ（８）の前記後端（１３）のための当接ナット（１７）が設けられており、前記当接ナット（１７）は、前記ねじ軸（１６）と係合して搭載され、前記バネ保持スリーブ（１０）の前記後端（１０２）と摺動可能に係合する三日月形スロット（１７１）が設けられている、請求項１に記載のインジェクタ。
【請求項３】
前記コイルバネ（８）の前記当接ナット（１７）は突出インデックス（２１）を有し、前記ペン状ケーシング（１）は、前記突出インデックス（２１）が縦スロット（２２）に沿って摺動することを可能にするのに適切な縦スロット（２２）を有する、請求項２に記載のインジェクタ。
【請求項４】
前記バネ保持スリーブ（１００）は内部で滑らかであり、前記ねじ及びナットねじデバイス（１４０）は調節ノブ（１５）を備え、前記調節ノブ（１５）は前記ペン状ケーシング（１）の前記後端（２０）に位置し、ねじ軸（７０）が設けられており、前記ねじ軸（７０）は、前記ペン状ケーシング（１）の前記後端（２０）に当接する当接部（１６０）と、近位ねじ部（１６１）と、前記バネ保持スリーブ（１００）内に自由に挿入される滑らかな遠位部（１６２）とを有し、前記シャフト（７０）の前記近位ねじ部（１６１）で、ねじ及びナットねじの結合により、前記コイルバネ（８）の前記後端（１３）に当接するナット（１７０）と係合する、請求項１に記載のインジェクタ。
【請求項５】
前記コイルバネ（８）の当接ナット（１７０）は、一対の突出インデックス（２１）を有し、インジェクタケーシング（１）は、各々の前記突出インデックス（２１）が縦スロット（２２）に沿って摺動することを可能にする２つの縦スロット（２２）を有する、請求項４に記載のインジェクタ。
【請求項６】
目盛り付きスケール（３５）は、前記コイルバネ（８）の前記後端（１３）に当接する前記当接ナット（１７；１７０）の前記突出インデックス（２１）によって前記コイルバネ（８）の前記後端（１３）の位置を読むために、前記縦スロット（２２）に隣接する前記ペン状ケーシング（１）に設けられている、請求項３または５に記載のインジェクタ。
【請求項７】
貫通孔は前記ペン状ケーシング（１）に設けられ、停止要素は、前記貫通孔を横断して、動作前のインジェクタの待機状態において前記プッシュロッド（９０１）に係合する、請求項１に記載のインジェクタ。
【請求項８】
前記プッシュロッド（９０１）に連結される前記前面当接部材（１１）は円周凹部を有し、前記停止要素はピン（２８１）であり、前記ピン（２８１）は、前記ピン（２８１）の外側端にグリップリング（２８２）と、前記前面当接部材（１１）の前記円周凹部内で受容されることが意図される前記ピン（２８１）の内側端に先端とが設けられている、請求項７に記載のインジェクタ。
【請求項９】
前記ペン状ケーシング（１）は、内部に、前記ペン状ケーシング（１）の側方脇部（ｆｌ）の少なくとも１つと一体に、縦方向に摺動するように前記プッシュロッド（９０；９００；９０１）のためのガイドとして働く縦支持壁（４１，４２；４１０，４２０，４３０）を有する、請求項１に記載のインジェクタ。
【発明の詳細な説明】
【技術分野】
【０００１】
本発明は、プッシュ制御デバイスを有する眼内レンズインジェクタ（ＩＯＬ）に関する。概して、インジェクタは、装填室、先細り送達チャネル、及びＩＯＬを出すための遠位先端を有する前部と、ＩＯＬをプッシュロッドによって患者の眼に送達するアクチュエータを含むハンドル部とを含む。
【背景技術】
【０００２】
米国特許出願公開第２０１４／０２５７３１７号明細書では、装填室及び接続された送達管と、ＩＯＬインジェクタの遠位先端から外に、送達管を通ってＩＯＬを促進するためのコイルバネによって荷重がかけられたプッシュロッドとを含む、ペン状ＩＯＬインジェクタが説明されている。インジェクタは、自動送達コイルバネを圧縮するために傾いているアクチュエータを含む。制動機構は、バネによって付勢されるＩＯＬの前進を制御することを可能にする。バネの荷重に従ってバネによってかけられる力は調節可能ではない。医師は、器具の本体に蝶着される一対のアームによってプッシュロッドの前進に対する対抗作用だけ働かせることができる。各アームは、コイルバネをブロックする近位端と、プッシュロッドの表面における摩擦によって相互作用する遠位端とを有する。
【０００３】
欧州特許出願公開第０９３７４４３号明細書では、ペン状筐体を備える眼内レンズインジェクタであって、ペン状筐体は、装填室、先細り送達チャネル、及び眼内レンズ（ＩＯＬ）を出すための遠位先端を含む、前部と、眼内レンズ（ＩＯＬ）を患者の眼に挿入するための挿入ロッドに前方で接続されるプッシュロッドに作用するコイルバネを備えるアクチュエータを含む、後部であって、コイルバネはプッシュロッドに接続される前端が設けられたバネ保持スリーブ上で収容される、後部と、プッシュロッドの前進を制御するためのデバイスが設けられた中間ハンドル部とを有し、それによって、コイルバネは、コイルバネの荷重を調節するねじデバイスによって縦位置が変化する後端を有することが開示されている。
【０００４】
米国特許第２４７２１１６号明細書は、荷重がかけられたコイルバネによって、所望のサイズに合わせてシリンジを自動的に動作させるシリンジホルダに関する。しかしながら、バネ荷重の調節は、シリンジホルダへの異なるサイズのシリンジの挿入を可能にする、またはシリンジプランジャの異なるストロークを可能にする役割を果たす。言い換えれば、ニードルを通って排出される液体の量がより大きいとき、バネにより荷重がかかる。米国特許第２４７２１１６号明細書では、鋸歯状表面によってバネホルダに作用する制動レバー機構を有するものが説明されている。
【０００５】
ＩＯＬインジェクタについて、動作状態に応じて、装填室内でＩＯＬに働く力を調節することが可能であるため、医師にとって有用であろう。
【先行技術文献】
【特許文献】
【０００６】
【特許文献１】米国特許出願公開第２０１４／０２５７３１７号明細書
【特許文献２】欧州特許出願公開第０９３７４４３号明細書
【特許文献３】米国特許第２４７２１１６号明細書
【発明の概要】
【発明が解決しようとする課題】
【０００７】
したがって、本発明の目的は、プッシュロッドでコイルバネによって働く力を調節することである。
【０００８】
本発明のさらなる目的は、小さな寸法及びインジェクタの使用を容易にする人間工学的形状を有するインジェクタを提供することである。
【課題を解決するための手段】
【０００９】
これらの目的及び他の目的を達成するために、本発明は、請求項１と、請求項１の従属請求項に記載の挿入が制御される眼内レンズインジェクタを提供する。
【００１０】
本発明のさらなる特性及び利点は、添付の図面に示されるように、挿入が制御されるＩＯＬインジェクタの示唆的なひいては非限定の実施形態の説明からほとんど明確に現れる。
【図面の簡単な説明】
【００１１】
【図１】本発明の第１の実施形態による、静止位置にあるＩＯＬインジェクタの概略縦断面図である。
【図２ａ】図１と同様の概略縦断面図であり、連続動作ステップのインジェクタを示す。
【図２ｂ】図１と同様の概略縦断面図であり、連続動作ステップのインジェクタを示す。
【図２ｃ】図１と同様の概略縦断面図であり、連続動作ステップのインジェクタを示す。
【図２ｄ】図１と同様の概略縦断面図であり、連続動作ステップのインジェクタを示す。
【図２ｅ】図１と同様の概略縦断面図であり、連続動作ステップのインジェクタを示す。
【図３】本発明の第２の実施形態による、ＩＯＬインジェクタの上面図である。
【図４】図３のＩＯＬインジェクタの左端の拡大図である。
【図５】図３の静止位置にあるＩＯＬインジェクタの概略縦断面図である。
【図６】コイルバネの荷重を調節するためのねじ及びナットねじデバイスの拡大斜視図である。
【図７】図５の線Ａ−Ａに沿った拡大スケールの断面図である。
【図８ａ】図５と同様の概略縦断面図であり、連続動作ステップのインジェクタを示す。
【図８ｂ】図５と同様の概略縦断面図であり、連続動作ステップのインジェクタを示す。
【図８ｃ】図５と同様の概略縦断面図であり、連続動作ステップのインジェクタを示す。
【図８ｄ】図５と同様の概略縦断面図であり、連続動作ステップのインジェクタを示す。
【図８ｅ】図５と同様の概略縦断面図であり、連続動作ステップのインジェクタを示す。
【図９】本発明の第３の実施形態による、斜視図である。
【図１０】本発明の第３の実施形態による、前面図である。
【図１１】本発明の第３の実施形態による、斜視縦断面の部分図である。
【図１２】本発明の第３の実施形態による、平面縦断面図である。
【図１３】インジェクタの動作ステップにおける図１２の部分拡大図である。
【図１４】インジェクタの動作ステップにおける図１２の部分拡大図である。
【図１５】本発明の第４の実施形態による、平面縦断面図である。
【図１６】本発明の第４の実施形態による、図１５の線Ｂ−Ｂに沿って形成された拡大横断面図である。
【発明を実施するための形態】
【００１２】
最初に、図１を参照されたい。図１は、本発明に従った静止位置にあるＩＯＬインジェクタ（または単純なインジェクタ）の第１の実施形態の概略縦断面図である。
【００１３】
インジェクタは、上側脇部ｆｓ及び下側脇部ｆｉを有するペン状ケーシング１を備える。ケーシング１は前部２を有し、前部２は装填室３、先細り送達チャネル４、及び眼内レンズを出すための遠位先端５を含み、眼内レンズはＩＯＬによって示され、装填室３に概略的に示される。１つの前面ドア７は、装填室３へのＩＯＬの導入を可能にする。
【００１４】
中間ハンドル部分６を有するケーシング１は後方にアクチュエータ１８を含み、アクチュエータ１８には、ＩＯＬを移動させるための挿入ロッド１９を前部で支えるプッシュロッド９によってＩＯＬを患者の眼に自動送達するためのコイルバネ８が設けられている。
【００１５】
本発明に従って、プッシュロッド９は角柱形状であり、上側ｌｓ及び下側ｌｉを有する。
【００１６】
コイルバネ８は、内部にある滑らかなバネ保持スリーブ１０の同軸になるように外部に収容される。バネ保持スリーブ１０は、プッシュロッド９に連結される前面当接部材１１を有する。コイルバネ８は、前面当接部材１１に当接する前端１２と、コイルバネ８の荷重を調節するねじ及びナットねじデバイス１４によって縦位置が変化する後端１３とを有する。
【００１７】
ねじ及びナットねじデバイス１４は、インジェクタのケーシング１の後端２０に位置する調節ノブ１５を備える。調節ノブ１５は、バネ保持スリーブ１０に自由に挿入されるねじ軸１６が設けられている。コイルバネ８の後端１３に当接するナット１７は、ねじ軸１６上に搭載される。ナット１７は、ねじ軸１６と結合するねじ及びナットねじにある。本発明の第２の実施形態を参照して、ねじ及びナットねじデバイス１４の詳細な説明は下記に説明される。
【００１８】
コイルバネ８の当接ナット１７は、少なくとも１つの突出インデックス２１を有する。インジェクタのケーシング１は、突出インデックス２１がスロット２２自体に沿って摺動することが可能である少なくとも１つの縦スロット２２を有する。
【００１９】
以下に示される目盛り付きスケールは、コイルバネ８の後端のための当接ナット１７の突出インデックス２１によってコイルバネ８の後端１３の位置を読むために、スロット２２に隣接するインジェクタのケーシング１に設けられている。
【００２０】
プッシュロッド９は、その上側ｌｓに、上向きに突出する突出部２３と、また上向きに対面する歯状ラック２４とを有する。
【００２１】
下記に説明されるプッシュロッド前進制御デバイスが提供される。
【００２２】
プッシュロッド前進制御デバイスは、歯状ラック２４に作用するレバーを備える。レバーは、切り欠き２５を通ってケーシング１の上側脇部ｆｓから突出するボタン２８の形態の力がかけられた第１のアームと、ケーシング１と当接する弾性的に変形可能な抵抗力がかかる第２のアーム２９とを有する。第２のアーム２９は、ボタン２８のための戻り弾性部材として働く。支点２７は、ケーシングの内側で、レバーの第１のアームと第２のアームとの間に位置する。
【００２３】
レバーの第２のアーム２９はボタン２８の前面にあり、自由端３２に対して後方に延在し、自由端３２は、プッシュロッド９の上向きに突出する突出部２３をロックし歯状ラック２４の歯に係合するために、下向きに対面する一対の指部３３，３４が設けられている。さらに、ボタン２８はプッシュロッド９と摩擦係合するために下向きに対面する前端３１を有する。
【００２４】
さらに詳細に説明すると、ケーシング１は上側脇部ｆｓの切り欠き２５を有する。レバーの第２のアーム２９は支点２７からアーム２６において延在する。アーム２６はボタン２８に連結される。ボタン２８は切り欠き２５を通って上向きに突出し、手動制御を可能にする。
【００２５】
第２のレバーアーム２９は、３０で示されるケーシングの固定された内部部分と当接するために弾性的に変形可能である。
【００２６】
ボタン２８はプッシュロッド９との摩擦係合により、下向きに対面する前端３１を有する。アーム２６は、下向きに対面する一対の指部３３，３４が設けられている後方グリップ端３２を有する。まとめて、図２ａ〜図２ｅに示されるように、指部３３，３４は、突出部２３がプッシュロッド９で上向きに突出することをブロックする一方、指部３４よりも長い単一の指部３３は、プッシュロッド９の歯２４に係合し、それらのロックを速く達成する。図２ａ〜図２ｅは、後続の動作ステップのインジェクタを示す図１と同様の概略縦断面図である。図２ａでは、静止位置にあるボタン２８と、ボタン２８が連結されるアーム２６の後端３２とが示される。後端３２は、上向きに突出する突出部２３を保定するように係合する。このように、プッシュロッド９は静止したままである。ねじ及びナットねじデバイス１４の調節ノブ１５に作用することによって、前面当接部材１１と後方当接ナット１７との間に当接するバネ８に荷重がかかる。このステップでは、インジェクタに装填され、すぐに使用でき、ＩＯＬを患者の眼に挿入するためにバネによってかける必要がある力を調節している。
【００２７】
図２ｂでは、医師が弾性的に変形可能な第２のレバーアーム２９の対抗作用に対してボタン２８を押して、アーム２６のソケット３２の後端との係合から、プッシュロッド９の上向きに突出する突出部２３を解放していることが示される。ボタン２８の前端３１は、プッシュロッド９と摩擦接触して、プッシュロッド９の前進を制御する。
【００２８】
図２ｃでは、プッシュロッド９は、ボタン２８に対する作用によって前進し、ボタン２８は、圧縮されると、プッシュロッド９における先端３１の摩擦によって押され、プッシュロッド９の前進を調節することが示される。
【００２９】
図２ｄでは、ボタン２８を解放することにより、上向きに突出する歯２４との指部３３の係合によって、プッシュロッド９の前進を停止させることが示される。
【００３０】
最後に、図２ｅでは、ボタン２８は、ここで完全に緩んだバネ８の影響を受けたプッシュロッド９の最終変位のために、指部３３を歯２４から係脱するためにわずかに押されていることが示される。ここで、図３〜図５を参照されたい。図３〜図５は、各々、本発明の第２の実施形態による、ＩＯＬインジェクタの上面図、拡大左端図、及び概略縦断面図である。第１の実施形態の部分と同じ部分または同様の部分は、同じ符号によって示される。プッシュロッド前進制御デバイスに関して違いが生じる。
【００３１】
第１の実施形態のように、インジェクタはケーシング１を備え、ケーシング１は、前部２、先細り送達チャネル４、及びＩＯＬを出すための遠位先端５を有する。
【００３２】
中間ハンドル部分６を有するケーシング１は後方にアクチュエータ１８を含み、アクチュエータ１８には、ＩＯＬを変位させるための挿入ロッド１９を前部で支えるプッシュロッド９０によってＩＯＬを患者の眼に自動送達するためのコイルバネ８が設けられている。図７に示されるように、プッシュロッドは角柱形状を有する。
【００３３】
アクチュエータ１８は、コイルバネ８の荷重を調節するためのねじ及びナットねじデバイス１４を有する。図６（ねじ及びナットねじデバイス１４の拡大斜視図）に示されるように、コイルバネ８は、内部にある滑らかなバネ保持スリーブ１０の同軸になるように外部に収容される。バネ保持スリーブ１０は、プッシュロッド９０に連結される前面当接部材１１を有する。コイルバネ８は、前面当接部材１１に当接する前端１２と、コイルバネ８の荷重を調節するねじ及びナットねじデバイス１４によって縦位置が変化する後端１３とを有する。バネ保持スリーブ１０は２つの対向溝１０１により荷重が軽くなる後部を有し、これにより、バネ保持スリーブ１０は、２つの対向する上側外形及び下側外形１０２に対して荷重が小さくなり、基本的に半月状断面を有する。
【００３４】
ねじ及びナットねじデバイス１４は、インジェクタの後端２０を越えて位置する調節ノブ１５を備える。調節ノブ１５は、例えば、インジェクタケーシング（図８ａ）の後端２０に当接する当接部１６０により、矢印Ｆ（図６）の方向にだけ回転することを可能にする。調節ノブ１５は、バネ保持スリーブ１０に自由に挿入されるねじ軸１６が設けられている。コイルバネ８の後端１３に当接するナット１７は、ねじ軸１６上に搭載される。ナット１７は、ねじ軸１６に係合するように内部に螺入される。
【００３５】
ナット１７は、バネ保持スリーブ１０の対向する上側外形及び下側外形１０２に一致する２つの対向開口部１７１を有し、これにより、ノブ１５が矢印Ｆの方向に回転するとき、ナット１７はバネ端１３に対抗して矢印Ｇに従って前進できる。図６では、図示を便利するためだけに、ナット１７はバネ保持スリーブ１０から分離され、バネ保持スリーブ１０において、ナット１７が前進することを可能にするように、実際にナット１７を搭載するように示される。第１の実施形態に関して既に言及したように、ナット１７は、バネ８の荷重の調節を示すために、縦スロット２２の内側で移動可能である突出インデックス２１（図３）を有する。
【００３６】
この目的のために、目盛り付きスケールは、図３に示され、３５として示される。目盛り付きスケール３５は、また、別のインデックス２１を前進させるための別の縦スロット２２の近くのケーシングの反対側の脇部に設けられ得る。
【００３７】
プッシュロッド９０は、歯状ラック２４０が設けられた下側を有する。
【００３８】
下記に説明される第１の実施形態のデバイスと異なるプッシュロッドの前進を制御するためのデバイスが提供される。
【００３９】
ケーシング１は切り欠き２５０を有する。
【００４０】
プッシュロッド９０の前進を制御するためのデバイスは、歯状ラック２４０に作用するレバーを備える。レバーは、切り欠き２５０を通ってケーシング１の上側ｆｓから突出するボタン２６０の形態の力がかけられた第１のアームと、ケーシング１（具体的には、その上側ｆｓ）と当接する弾性的に変形可能な抵抗力がかかる第２のアーム３６とを有する。支点２７０は、ケーシング１の内側で、レバーの第１のアームと第２のアームとの間に位置する。
【００４１】
ボタン２６０は、下向きに延在し、プッシュロッド９０が横断する貫通孔３８及び歯状ラック２４０に係合する歯止め３９が設けられている突出部３７と、プッシュロッド９０の上側ｌｓにおける摩擦によって係合するための隣り合う凸部４０とを有する。
【００４２】
より詳細には、プッシュロッド前進制御デバイスは、支点２７０においてケーシングの内側に蝶着され、切り欠き２５０を通って突出するボタン２６０を含む。ボタン２６０は第２のレバーアーム３６のような小さなプレートを有し、第２のレバーアーム３６は、支点２７０に対して後方に延在し、ボタン２６０がケーシング１と当接するために弾性的に変形可能である。さらに、ボタン２６０は、歯状ラック２４０に係合するプッシュロッド９０のための貫通孔３８が備えられる下向きに対面する突起３７を有する。ボタン２６０は、突起３７の隣に、歯状ラック２４０の反対側にプッシュロッド９０における摩擦によって係合する凸部４０を有する。
【００４３】
図７（図５の線Ａ−Ａに従った拡大スケールの断面）を参照すると、ボタン２６０がインジェクタケーシング１の内側にどのように搭載されているかを示す。プッシュロッド９０は縦支持壁４１，４２で摺動自在に載っている一方、縦壁４３は、支点２７０と蝶着される押しボタン２６０を支持する目的がある。
【００４４】
ここで、図８ａ〜図８ｅを参照されたい。図８ａ〜図８ｅは、図５と同様の概略縦断面図であり、連続動作ステップのインジェクタを示す。図８ａでは、ボタン２６０が静止位置にあり、プッシュロッド９０の前進をブロックすることが示される。図６を参照して説明したように、両方向の矢印Ｈによって示されるように、調節ノブ１５によりナット１７を移動させ、バネ８の荷重を調節することが可能である。ねじ及びナットねじデバイス１４の調節ノブ１５に作用することによって、前面当接部材１１とコイルバネ８の後方当接ナット１７との間に当接するコイルバネ８に荷重がかかる。このステップでは、インジェクタに充填され、すぐに使用でき、ＩＯＬを患者の眼に挿入するためにバネによってかける必要がある力を調節している。
【００４５】
図８ｂでは、プッシュロッド９０に対面する貫通孔３８を有するボタン２６０の突起３７を位置付けるように、医師が弾性的に変形可能プレート３６の対抗作用に対してボタン２６０を押していることが示される。
【００４６】
図８ｃでは、ボタン２６０で上記に説明した作用により、プッシュロッド９０が前進していることが示される。ボタン２６０の凸部４０は、歯状ラック２４０の反対側のプッシュロッド９０における摩擦によって押され、プッシュロッド９０の前進を調節する。
【００４７】
図８ｄでは、ボタン２６０を解放することにより、突起３７が下向きに突出する歯２４０と連続して係合することよって、プッシュロッド９０の前進を停止させることが示される。
【００４８】
最後に、図８ｅでは、ボタン２６０は、ここで完全に緩んだバネ８の影響を受けたプッシュロッド９０の最終変位のために、突起３７を歯２４０から係脱するためにわずかに押されていることが示される。ＩＯＬは、遠位端５に対して前方に示され、したがって、患者の眼に向かって出ている。
【００４９】
ここで、図９〜図１２を参照されたい。図９は、本発明のＩＯＬインジェクタの第３の実施形態による、斜視図である。図１０は、本発明のＩＯＬインジェクタの第３の実施形態による、前面図である。図１１は、本発明のＩＯＬインジェクタの第３の実施形態による、斜視縦断面図である。図１２は、本発明のＩＯＬインジェクタの第３の実施形態による、平面縦断面図である。図１２では、複数の小さな円はケーシング１の２つの半分部の組立点を示す。
【００５０】
以下で確認できるように、プッシュロッドに作用するコイルバネを有するアクチュエータ及びプッシュロッド制御前進デバイスの両方に関して違いが生じる。第２の実施形態の部分と同じ部分または同様の部分は、同じ符号によって示される。
【００５１】
前述の実施形態のように、インジェクタはペン状ケーシング１を備え、ペン状ケーシング１は、装填室３、先細り送達チャネル４、及び眼内レンズを出すための遠位先端５を含む、前部２を有する。
【００５２】
ケーシング１は中央グリップ部分６を有し、中央グリップ部分６はオペレータの握りを改善する対向するギザギザ部分６０を有する。ケーシング１は後方にアクチュエータ１８０を含み、アクチュエータ１８０には、ＩＯＬを変位させるための挿入ロッド１９を前部で支えるプッシュロッド９００によってＩＯＬを患者の眼に自動送達するためのコイルバネ８が設けられている。プッシュロッド９００は角柱形状を有する。
【００５３】
コイルバネ８は、内部にある滑らかなバネ保持スリーブ１００の同軸になるように外部に収容される。バネ保持スリーブ１００は前述の実施形態よりも短く、２つの対向溝により荷重が軽くなる後部を有しなく、前述の実施形態では、２つの対向溝は、ナットねじとして働くナット１７と、アクチュエータ１８のねじ及びナットねじデバイス１４のねじとして動作するねじ付きスピンドル１６との係合を可能にする。
【００５４】
バネ保持スリーブ１００は、プッシュロッド９に連結される前面当接部材１１を有する。コイルバネ８は、前面当接部材１１に当接する前端１２と、コイルバネ８の荷重を調節するねじ及びナットねじデバイス１４０によって縦位置が変化する後端１３とを有する。
【００５５】
ねじ及びナットねじデバイス１４０は、インジェクタケーシング１の後端２０を越えて位置する調節ノブ１５を含む。調節ノブ１５は、インジェクタケーシングの後端２０に当接する停止部１６０を有するシャフト７０が設けられている。円筒形のシャフト７０は、近位ねじ部１６１及び滑らかな遠位部１６２を有する。遠位部１６２はバネ保持スリーブ１００に自由に挿入される。シャフト７０の近位ねじ部１６１で、ねじ及びナットねじを結合することで、コイルバネ８の後端１３に当接するナット１７０に係合する。コイルバネ８の当接ナット１７０は、一対の対向インデックス２１を有する。インジェクタケーシング１は、突出インデックス２１がスロット２２自体に沿って摺動することが可能である２つの縦スロット２２を有する。
【００５６】
目盛り付きスケールは、コイルバネ８に当接する後端のナット１７０の突出インデックス２１によってコイルバネ８の後端１３の位置を読むために、縦スロット２２に隣接するインジェクタケーシング１に設けられている。
【００５７】
前述の実施形態とは異なり、角柱形状を有するプッシュロッド９００は、下歯２４０が連続する下側ｌｉと、上歯２４１が連続する上側ｌｓとを有する。
【００５８】
プッシュロッドの前進を制御するためのデバイスは、これらの連続する歯と協働し、これは、図１３及び図１４（インジェクタ動作の２つの瞬間における図１２の部分拡大図である）を参照して下記に説明されるように、第２の実施形態のデバイスと異なる。
【００５９】
しかしながら、第２の実施形態のように、プッシュロッド９００の前進を制御するためのデバイスは、歯状ラック２４０，２４１に作用するレバーを備える。レバーは、切り欠き２５０を通ってケーシング１の上側脇部ｆｓから突出するボタン２６１の形態の力がかけられた第１のアームと、ケーシング１と当接する弾性的に変形可能な抵抗力がかかる第２のアーム３６とを有する。支点２７０は、ケーシング１の内側で、レバーの第１のアームと第２のアームとの間に位置する。
【００６０】
ボタン２６１は、下向きに延在し、プッシュロッド９００が横断する貫通孔３８及び歯状ラック２４０に係合する歯止め３９が設けられている突出部３７と、プッシュロッド９００の上側ｌｓで歯状ラック２４１に係合するための隣り合う凸部４４とを有する。
【００６１】
ケーシング１の切り欠き２５０では、ボタン２６１は、支点２７０においてケーシングの内側に蝶着されるが、切り欠き２５０を通って突出する。ボタン２６１は小さなプレート３６を有し、小さなプレート３６は、支点２７０の後方に延在し、ボタン２６１がケーシング１と当接するために弾性的に変形可能である。図１１に最良に示されるように、ボタン２６１は、プッシュロッド９００が横断する貫通孔３８が設けられた下向き突起３７を有する。突起３７は、その貫通孔３８により、突出部３９により下歯２４０が連続する歯と係合する。図１４に示されるように、突起３７の突出部３９と協働する上歯２４０は、前進を速くブロックするための歯として機能する。反対側で、歯状ラック２４１は、下向きの突出部３７に隣接する凸部４４に対面する。歯２４１が凸部４４と相互に係合することにより、プッシュロッド９００の前進速度、または場合により、プッシュロッド９００の停止速度の減少を達成することが可能である。言い換えれば、図１３を参照して、ボタン２６１が弾性プレート３６の対照作用により上昇位置にあることが示される。すなわち、ボタン２６１がそれにかけられる圧力（例えば、親指の圧力）によって下向きに押されていない。この配置では、下歯２４０に作用する突出部３９は、プッシュロッド９００の前進をブロックすることが留意される。図１４に示されるように、押しボタン２６１を下向きに押すとき、突出部３９は下歯２４０から係脱するが、凸部４４が上歯２４１に係合し始めると、プッシュロッド９００の前進または停止を遅くする。
【００６２】
このように、前進制御デバイスは、瞬間の動作状態に応じて、ＩＯＬの送達速度に適応することを可能にする。
【００６３】
ここで、図１５及び図１６を参照されたい。図１５は本発明に従ったＩＯＬインジェクタの第４の実施形態による平面縦断面図であり、図１６は本発明に従ったＩＯＬインジェクタの第４の実施形態による図１５の線Ｂ−Ｂに沿って得られた横断面図である。
【００６４】
以下で確認できるように、プッシュロッドに作用するコイルバネを有するアクチュエータ及びプッシュロッド制御前進デバイスの両方に関して違いが生じる。第３の実施形態の部分と同じ部分または同様の部分は、同じ符号によって示される。
【００６５】
貫通孔はペン状ケーシング１に設けられ、停止要素は貫通孔を横断して、動作前のインジェクタの待機状態においてプッシュロッド９０１に係合する。
【００６６】
プッシュロッド９０１に連結される前面当接部材１１は円周凹部を有する。停止要素はピン２８１であり、ピン２８１はその外側端にリング２８２及びその内側端に先端が設けられている。先端は、前面当接部材１１の円周凹部内に受容されるように設計される。
【００６７】
医師がインジェクタを自発的に操作する準備ができる前に、停止要素は、プッシュロッド前進制御デバイスの非自発的な作動を防止するのに有用である。
【００６８】
プッシュロッド９０１（角柱形状が好ましい）は、プッシュロッド９０１の下側ｌｉに歯状ラック２４２と、プッシュロッド９０１の上側ｌｓにギザギザ歯状ラック２４３とを有する。
【００６９】
ケーシング１は、内部に、その側方脇部ｆｌと一体に、縦方向に摺動するようにプッシュロッド９０１のためのガイドとして働く縦支持壁４１０，４２０，４３０を有する。
【００７０】
さらに、ケーシング１は、内部に、ケーシング１の少なくとも１つの側面脇部ｆｌと一体の少なくとも一対の横方向ピン２５１を含む。一対の横方向ピン２５１は、ケーシング１が相互に接続される対称な２つの半分部から作られる場合、ケーシング１の側面脇部ｆｌの両方と一体ではない可能性がある。一対の横方向ピン２５１は、切り欠き２５０の下方に位置付けられる。切り欠き２５０の反対側で、ケーシング１の下側ｆｉに、バネシート２５２が形成される。シート２５２では、板バネ２５３の一方の前端が突出部２６３に当接し、板バネ２５３の後端がガイド２６４の下に摺動可能に受容されるように、板バネ２５３が位置付けられる。
【００７１】
本発明のこの第４の実施形態に従って、プッシュロッド９０１の前進制御デバイスは、プッシュロッド９０１を通過させるための内部空洞２５５が設けられた管状要素２５４を含む。管状要素２５４は、ケーシング１の上側脇部ｆｓに形成される切り欠き２５０から上面に突出するボタン状バルジ２５７を有する上壁２５６を有する。ボタン状バルジ２５７は横方向ピン２５１を受容する２つの貫通スロット２６５を有する。この配置は、切り欠き２５０を通ってボタン状バルジ２５７の垂直摺動を生じさせる。したがって、管状要素２５４は、ケーシング１内で横方向に摺動可能である。管状要素２５４は、ケーシング１のシート２５２内に受容される板バネ２５３のためのレッジとして動作する下壁２５８を有する。
【００７２】
管状要素２５４の上壁２５６は、プッシュロッド９０１の上側ｌｓに連続する歯２４３に係合するように適応する楔形突出部２５９が設けられた内部空洞２５５に対面する表面を有する。
【００７３】
管状要素２５４の下壁２５８は、プッシュロッド９０１の下側に歯状ラック２４２と係合することが可能である少なくとも一対の歯２６２が設けられた内部空洞２５５に向かって対面する表面を有する。
【００７４】
本発明の第４の実施形態に従ったプッシュロッド前進制御デバイスの動作により、例えば、インジェクタを使用する前に、管状要素２５４が静止状態で歯状ラック２４２に係合することをもたらす。これは、伸縮バネ２５３が、管状要素２５４を押動し、歯２６２がプッシュロッドの歯２４２と係合する上側位置で垂直にだけ摺動するように拘束される事実によって保証される。いったんプッシュロッド９０１の保定要素２８１が解放されると、スラスト要素はコイルバネ８の影響を受けて前進するであろうが、管状要素２５４の上壁２５６の内側表面上の楔形突出部２５９は、プッシュロッド９０１の上側ｌｓのギザギザ歯状ラック２４３に係合し、プッシュロッド９０１の前進を制御する。したがって、プッシュロッド９０１は、コイルバネ８の影響を受けて決して自由にならないが、切り欠き２５０から突出するバルジ２５７により、医師によって押動される管状要素２５４の制御を受けることを理解されたい。
【００７５】
本発明の様々な実施形態により、本発明の目的を達成していることを理解されたい。本発明の範囲は添付の「特許請求の範囲」によって定義される。
【図１】
2021524320.tif 000003
【図２ａ】
2021524320.tif 000004
【図２ｂ】
2021524320.tif 000005
【図２ｃ】
2021524320.tif 000006
【図２ｄ】
2021524320.tif 000007
【図２ｅ】
2021524320.tif 000008
【図３】
2021524320.tif 000009
【図４】
2021524320.tif 000010
【図５】
2021524320.tif 000011
【図６】
2021524320.tif 000012
【図７】
2021524320.tif 000013
【図８ａ】
2021524320.tif 000014
【図８ｂ】
2021524320.tif 000015
【図８ｃ】
2021524320.tif 000016
【図８ｄ】
2021524320.tif 000017
【図８ｅ】
2021524320.tif 000018
【図９】
2021524320.tif 000019
【図１０】
2021524320.tif 000020
【図１１】
2021524320.tif 000021
【図１２】
2021524320.tif 000022
【図１３】
2021524320.tif 000023
【図１４】
2021524320.tif 000024
【図１５】
2021524320.tif 000025
【図１６】
2021524320.tif 000026
【国際調査報告】
2021524320.tif 000027
2021524320.tif 000028
2021524320.tif 000029